【手続補正書】
【提出日】平成19年3月23日(2007.3.23)
【手続補正１】
【補正対象書類名】明細書
【補正対象項目名】特許請求の範囲
【補正方法】変更
【補正の内容】
【特許請求の範囲】
【請求項１】  第一の柔軟なチューブユニットの端部（１１）及び第二の柔軟なチューブユニットの端部（１２）を有し、且つ相互に隣接して配置され透過性材料から作られた複数の柔軟なチューブ（１６）を有する柔軟なチューブユニットであって、柔軟なチューブ（１６）はそれぞれ柔軟なチューブの入り口（１７）から柔軟なチューブの出口（１９）に延びる長さ方向の軸（５）を有し且つ繰り返して生ずる狭窄部（５０）の在る柔軟なチューブの断面（１３）を有し、柔軟なチューブユニット（１０）は、少なくとも二つの隣接する柔軟なチューブ（１６）の間に配置され柔軟なチューブ（１６）の長さ方向の軸（５）に対して或る角度で柔軟なチューブに連結した連結要素（１８）を有する、柔軟なチューブユニット（１０）。
【請求項２】  連結要素が、長さ方向の軸（５）に関して２０度と１６０度の間の角度で柔軟なチューブの間に配置された、請求項１に記載の柔軟なチューブユニット（１０）。
【請求項３】  柔軟なチューブ（１６）が、第一の柔軟なチューブユニットの端部（１１）から第二の柔軟なチューブユニットの端部（１２）に、柔軟なチューブ（１６）を通って流れる少なくとも一つの流体（２０）を保持するのに役立つ、請求項１に記載の柔軟なチューブユニット（１０）。
【請求項４】  連結要素（１８）が、少なくとも一つの流体（２０）が流れることが出来る連結要素断面（２２）を有する、請求項１に記載の柔軟なチューブユニット（１０）。
【請求項５】  柔軟なチューブ（１６）が、柔軟なチューブ断面の二つの狭窄部（５０）間で球形を取る、請求項１に記載の柔軟なチューブユニット（１０）。
【請求項６】  柔軟なチューブ（１６）が、柔軟なチューブ断面の二つの狭窄部（５０）間で両凸の形状を取る、請求項１に記載の柔軟なチューブユニット（１０）。
【請求項７】  柔軟なチューブ（１６）が、周期的に繰り返し生ずる狭窄部（５０）を有する、請求項１に記載の柔軟なチューブユニット（１０）。
【請求項８】  狭窄部（５０）が、柔軟なチューブ（１６）の収縮領域を形成する、請求項１に記載の柔軟なチューブユニット（１０）。
【請求項９】  狭窄部（５０）が、柔軟なチューブ（１６）の断面（１３）に配置された障害物を形成する、請求項１に記載の柔軟なチューブユニット（１０）。
【請求項１０】  連結要素（１８）が、狭窄部（５０）の領域に配置された、請求項１に記載の柔軟なチューブユニット（１０）。
【請求項１１】  連結要素（１８）が、柔軟なチューブ（１６）と同じ材料構造である、請求項１に記載の柔軟なチューブユニット（１０）。
【請求項１２】  連結要素（１８）が、相互に繰り返し生ずる距離を保って配置された、請求項１に記載の柔軟なチューブユニット（１０）。
【請求項１３】  連結要素（１８）が、相互に周期的に繰り返し生ずる距離を保って配置された、請求項１２に記載の柔軟なチューブユニット（１０）。
【請求項１４】  連結要素（１８）が、相互に少なくとも１ｍｍの距離を離して配置された、請求項１２に記載の柔軟なチューブユニット（１０）。
【請求項１５】  柔軟なチューブ（１６）が、０．１〜５ｍｍの内径を有する、請求項１に記載の柔軟なチューブユニット（１０）。
【請求項１６】  連結要素（１８）が、柔軟なチューブ（１６）の内径の少なくとも１０％の内径を有する、請求項１５に記載の柔軟なチューブユニット（１０）。
【請求項１７】  柔軟なチューブ（１６）が中空繊維である、請求項１に記載の柔軟なチューブユニット（１０）。
【請求項１８】  連結要素（１８）が中空繊維である、請求項１に記載の柔軟なチューブユニット（１０）。
【請求項１９】  透過性材料が気体透過性である、請求項１に記載の柔軟なチューブユニット（１０）。
【請求項２０】  透過性材料が液体を通さない、請求項１に記載の柔軟なチューブユニット（１０）。
【請求項２１】  柔軟なチューブ（１６）が、複数の積層された層を有する、請求項１に記載の柔軟なチューブユニット（１０）。
【請求項２２】  少なくとも一つの膜の層が、ポリエステル類、ポリアミド類、ポリエチレン及びポリプロピレンを含むポリオレフィン類、ポリ塩化ビニル、ポリケトン類、ポリスルフォン類、ポリカーボネート類、ポリテトラフルオロエチレン（ＰＴＦＥ）及びポリ弗化ビニリデンのようなフルオロポリマー類、ポリアクリレート類、ポリウレタン類、コポリエーテルエステル類、並びにコポリエーテルアミド類からなる物質のグループから選ばれる、請求項２１に記載の柔軟なチューブユニット（１０）。
【請求項２３】  少なくとも一つの膜の層が、延伸膨張ポリテトラフルオロエチレン（ｅＰＴＦＥ）から作られる、請求項２２に記載の柔軟なチューブユニット（１０）。
【請求項２４】  少なくとも一つの流体（２０）が、気体、蒸気、または液体である、請求項３に記載の柔軟なチューブユニット（１０）。
【請求項２５】  少なくとも一つの流体（２０）が、気体、蒸気、または液体である、請求項４に記載の柔軟なチューブユニット（１０）。
【請求項２６】  柔軟なチューブ（１６）が内表面（３０）及び外表面（４０）を有し、一つの表面に気体選択性被覆（２６）が施されている、請求項１に記載の柔軟なチューブユニット（１０）。
【請求項２７】  柔軟なチューブモジュール（６０）の中に、請求項１〜２６の少なくとも一つに記載の柔軟なチューブユニット（１０）を有する柔軟なチューブモジュールであって、柔軟なチューブ（１６）及び連結要素（１８）の中を流れる少なくとも一つの第一の流体（２０）と、柔軟なチューブ（１６）の周りを流れる少なくとも一つの第二の流体（２２）の間の物質移動のための柔軟なチューブモジュール。
【請求項２８】  柔軟なチューブモジュール（６０）の中での、請求項１〜２６の少なくとも一つに記載の柔軟なチューブユニット（１０）の使用法であって、柔軟なチューブ（１６）及び連結要素（１８）の中を流れる少なくとも一つの第一の流体（２０）と、柔軟なチューブ（１６）の周りを流れる少なくとも一つの第二の流体（２２）の間の熱交換のための柔軟なチューブユニット（１０）の使用法。
【請求項２９】  柔軟なチューブユニット（１０）の製造方法であって、次のステップ、即ち、
ａ）  少なくとも二つの平らなストリップ（３２、３４）を供給するステップ；
ｂ）  一つのローラー表面を有する少なくとも二つの型彫りしたローラー（３６、３８）を供給するステップ；
ｃ）  少なくとも二つの型彫りしたローラー（３６、３８）の間のニップ部（３５）に、少なくとも二つの平らなストリップ（３２、３４）を一緒に導くステップ；
ｄ）  ローラーのニップ部（３５）の静止位置において、互いに隣接して平行に且つ或る距離を離して配置され、ローラーの表面に彫られた対応する溝（４５）に噛み合うワイヤー（４２）を供給するステップ；
ｅ）  ローラーのニップ部（３５）において平らなストリップ（３２、３４）を一緒に圧し付けるステップ；及び
ｆ）  一緒に積層された平らなストリップ（３２、３４）を静止状態のワイヤー（４２）から引き離すステップ、
からなる柔軟なチューブユニット（１０）の製造方法。
【請求項３０】  少なくとも一つの平らなストリップ（３２、３４）が、少なくとも一つの平らな膜のストリップ（３２）からなる、請求項２９に記載の方法。
【請求項３１】  少なくとも一つの平らな膜のストリップ（３２）が、延伸膨張ポリテトラフルオロエチレン（ｅＰＴＦＥ）からなる、請求項３０に記載の方法。
【請求項３２】  複数の平らなストリップ（３２、３４）が、連続的に一緒に積層される、請求項２９に記載の方法。
【請求項３３】  積層された平らなストリップ（３２、３４）が、ステップｄ）の後に焼成浴（５０）の中を通過する、請求項２９に記載の方法。
【請求項３４】  積層された平らなストリップ（３２、３４）が、ステップｅ）の後に加熱空気ユニットの中を通過する、請求項３０に記載の方法。
【請求項３５】  ステップｃ）が、供給される熱及び／または接着剤によって行なわれる、請求項３０に記載の方法。